(57)【要約】【課題】作業し易くすると共に、安全性を向上させる。【解決手段】段ボールシート５により形成したデッキボード１の下面に桁部材２、2a…を複数個配設すると共に、該桁部材２、2a…の間にフォーク差込用空隙部３、3a…を設けたパレットであり、前記デッキボード１の下面にして桁部材２、2a…の間に段ボールシート５により形成した補強パッド４を積層付設することによって、デッキボード１における桁部材２、2a…の間の部分を補強パッド４に支持させ、デッキボード１の変形を抑止する様にする。【選択図】図１
2009248991.tif 000002
【特許請求の範囲】
【請求項１】
段ボールシートにより形成したデッキボードの下面に桁部材を複数個配設すると共に、該桁部材の間にフォーク差込用空隙部を設けたパレットであり、前記デッキボードの下面にして桁部材の間に段ボールシートにより形成した補強パッドを積層付設したことを特徴とするパレット。
【請求項２】
段ボールシートにより形成した底ボードの上面に桁部材の下端面を接着したことを特徴とする請求項１記載のパレット。
【請求項３】
底ボードの上面にして桁部材の間に補強パッドを積層付設したことを特徴とする請求項２記載のパレット。
【発明の詳細な説明】
【技術分野】
【０００１】
本発明は、段ボールを主材として形成したパレットに関する。
【背景技術】
【０００２】
従来より、荷役用パレットには、木製、金属製、プラスチック製、紙製のもの等が見受けられるが、補修が容易で、コストが低く、荷が滑り難い等の長所を有する木製のものが主流であった。
しかし、木製のパレットは、輸出の際、害虫駆除の燻蒸処理が義務づけられる場合があり、かかる問題点を回避すべく、より簡便に取り扱うことが出来て、その上より安価な段ボール製のパレットが注目される様になった。
この様な段ボール製パレットとして、例えば、
（１）  段ボールを多層にしたコアーを設けると共に、該コアーの長手方向に沿う周面を      段ボール板で被包し、間隔をおいて並列した被包コアーの上面或いは上下両面に段      ボール製台シートを取り付けて成る段ボール製パレット、
（２）  被包コアーの上面に取り付ける台シートを複数枚とし、夫々の台シート内のフル      ート芯が上下において直角に配置するよう台シートを重ねた上記（１）の段ボール      製パレット（下記特許文献１を参照）、が知られている。
この段ボール製パレットは、桁部材を上記被包コアーとすることで、荷重支持部を堅牢化して、耐久性の向上を図る様にしたものであり、この他にも、市場には、種々の手段により、桁部材を堅牢化した段ボール製パレットが数多く提案されている。
【０００３】
【特許文献１】実開平５−３４１３３号公報（請求項１及び２、図１〜５）
【発明の開示】
【発明が解決しようとする課題】
【０００４】
ところが、上記特許文献１のものに限らず、桁部材を堅牢化しただけで、例えば、図４に示す様に、桁部材Ａ、A1…上に架設されたデッキボードＢが、段ボールシートＣ、C1…を複数枚積層して形成されている段ボール製パレットは、荷物Ｇの積載後、図５に示す様に、デッキボードＢの桁部材Ａ、A1…上の部分は荷重により圧潰され、デッキボードＢの桁部材Ａ、A1…間の部分にあっては、最上層の段ボールシートＣは、桁部材Ａ、A1…上の圧潰された部分と略同一高さまで下降し、中層以降の段ボールシートC1…は、より上層の他の段ボールシートＣ、C1…にて夫々下方に押圧され、その結果、中層以降の段ボールシートC1…は、下方に突出した弓形状に変形し、また桁部材Ａ、A1…下に設けた底ボードＤにおいても同様の理由により上方に突出した弓形状に変形することから、桁部材Ａ、A1…間のフォーク差込用空隙部Ｅ、E1…は狭窄され、フォーク差込作業を難儀にしていた。
又、デッキボードＢ及び底ボードＤの弓形状部分が、桁部材Ａ、A1…を牽曳し、これが影響して、デッキボードＢの桁部材Ａ、A1…上の部分の潰れ具合に差が生じて荷物Ｇが傾き、安定性を損なう虞れがあった。
【課題を解決するための手段】
【０００５】
本発明は、上記課題に鑑み、段ボールシートにより形成したデッキボードの下面に桁部材を複数個配設すると共に、該桁部材の間にフォーク差込用空隙部を設けたパレットであり、前記デッキボードの下面にして桁部材の間に段ボールシートにより形成した補強パッドを積層付設することによって、デッキボードにおける桁部材の間の部分を補強パッドに支持させ、デッキボードの変形を抑止する様にして、上記課題を解決する。
【発明の効果】
【０００６】
要するに本発明は、段ボールシートにより形成したデッキボードの下面に桁部材を複数個配設すると共に、該桁部材の間にフォーク差込用空隙部を設けたパレットであり、前記デッキボードの下面にして桁部材の間に段ボールシートにより形成した補強パッドを積層付設したので、デッキボードにおける桁部材の間の部分が荷重を受けても、この部分は補強パッドにより支持され、変形降下しないため、フォーク差込用空隙部が狭窄されることはなく、開口を広く維持して、フォーク差込作業を容易に行うことが出来る。
又、上記部分の変形がないことから、荷を具合良く支持して、安定に保つことが出来、荷崩れの虞れもなく安全に運搬及び保管をすることが出来る。
【０００７】
段ボールシートにより形成した底ボードの上面に桁部材の下端面を接着したので、桁部材が下端側でも連結され、安定性を増して、安全性を更に向上させることが出来る。
【０００８】
底ボードの上面にして桁部材の間に補強パッドを積層付設したので、底ボードにおける桁部材の間の部分が補強パッドにより抑えられて、変形上昇しないことから、フォーク差込用空隙部の開口を広く維持したまま、全体の強度を大幅に向上させることが出来て、安全性を一層高く向上させることが出来る等その実用的効果甚だ大である。
【発明を実施するための最良の形態】
【０００９】
以下、本発明のパレットにつき、実施例を示し詳細に説明する。
図１に示す様に、本発明のパレットは、デッキボード１の下面に桁部材２、2a…を複数個配設すると共に、該桁部材２、2a…の間にフォーク差込用空隙部３、3a…を設けたパレットであり、前記デッキボード１の下面にして桁部材２、2a…の間に補強パッド４を積層付設している。
【００１０】
図示例のデッキボード１は、１枚の段ボールシート５を所定の縦横寸法に裁断して形成されているが、デッキボード１は、この形態に限定するものではなく、段ボールシート５を複数枚積層してデッキボード１としても良い。
尚、１枚の段ボールシート５によりデッキボード１を形成する場合は、強度確保の観点からして、複両面段ボールシートや複々両面段ボールシートを用いるのが良く、また段ボールシートを複数枚積層する場合は、両面段ボールシートでも良いが、各層の段ボールシートの中芯のフルート向きを違えて、上下層のフルート配向が互いに直交する様にするのが良い。
【００１１】
桁部材２、2a…は、適宜寸法に裁断した段ボールシート５を複数枚積層して形成され、段ボールシート５の幅方向を桁部材２、2a…の上下方向、段ボールシート５の厚さ方向を桁部材２、2a…の左右方向としている。
尚、桁部材２、2a…は、この形態に限定するものではなく、例えば、特許文献１に示されたものの様に、段ボールシートを複数枚積層し、この積層体の周囲に他の段ボールシートを巻着して桁部材としても良いし、図示しないが、例えば、直方体形状の発泡スチロールの周囲に段ボールシートを巻着して桁部材としても良く、要するに、実用に耐えうる強度を有するものであれば良いが、環境保全、資源の有効利用、リサイクル等の観点から、段ボールを主材としたものが良い。
【００１２】
補強パッド４は、図２に示す様に、デッキボード１と同寸法に裁断した段ボールシート５の桁部材２、2a…に対応する箇所を打抜いて、井の字状に調製されており、かかる補強パッド４をデッキボード１の下面に適宜枚数重ねて接着すれば良い。
尚、補強パッド４は、この形態に限定するものではなく、図示しないが、例えば、各桁部材２、2a…の間の平面形状に合致させた方形のもの（つまり、上記井の字状のものを複数枚に分割したもの）であっても良い。
【００１３】
又、段ボールシート５をデッキボード１と同寸法に裁断して底ボード６とし、該底ボード６の上面に桁部材２、2a…の下端面を接着し、底ボード６の上面にして桁部材２、2a…の間に補強パッド４を積層付設しており、この底ボード６及び補強パッド４によって、パレットの耐久性が飛躍的に向上する。
【００１４】
尚、本実施例では、デッキボード１と同寸法の底ボード６を設けて、該底ボード６にも補強パッド４を設けたパレットを示しているが、例えば、図３に示す様に、底ボード６を長方形とし、その短辺長を桁部材２、2a…の幅と同寸法にすると共に、長辺長をデッキボード１の一辺と同寸法にし、パレット奥行き方向に並ぶ桁部材（例えば、2b、2e、2hを参照）を長方形の底ボード６で連結し、パレット幅方向に並ぶ桁部材（例えば、２、2a、2bを参照）は連結せず、幅方向に並ぶ桁部材間下方を解放状態とすることで、フォーク下面にキャスターを有するハンドリフターに対応可能としても良く、また底ボード６は必ずしも必要ではなく、本発明において、底ボード６の有無は問わない。
【００１５】
一般に、段ボールシートは、その平面に荷重を受けた場合の抗折強度（厚さ方向の抗折強度）よりも、端面に荷重を受けた場合の抗折強度が圧倒的に高く、以上の通り、本発明のパレットは、桁部材２、2a…の間に段ボールシート５から成る補強パッド４を設けているため、デッキボード１が荷重を受けると、デッキボード１に押されて、補強パッド４は下方突出弓形に僅かに変形をするも、段ボールシート５（補強パッド４）の端面が桁部材２、2a…の側面に押圧されて荷重を受け、それ以上は変形せず、補強パッド４がデッキボード１を支持し、また同様の作用により、底ボード６が受ける荷重を補強パッド４が支持する。
【図面の簡単な説明】
【００１６】
【図１】本発明のパレットの斜視図である。
【図２】図１のパレットの補強パッドの平面図である。
【図３】本発明のパレットの他例の斜視図である。
【図４】従来のパレットの縦断面図である。
【図５】図４のパレットの荷物積載後の変形状態を示す縦断面図である。
【符号の説明】
【００１７】
１        デッキボード
２、2a…  桁部材
３、3a…  フォーク差込用空隙部
４        補強パッド
５        段ボールシート
６        底ボード
【図１】
2009248991.tif 000003
【図２】
2009248991.tif 000004
【図３】
2009248991.tif 000005
【図４】
2009248991.tif 000006
【図５】
2009248991.tif 000007